(57)【要約】  【課題】ガスケットによるクランク軸と蓋体との間の隙間管理が不要になるエンジンを提供する。  【解決手段】蓋体７の壁９に後軸受ボス１０を設け、この後軸受ボス１０に後部ラジアルベアリング１１を内嵌させ、この後ラジアルベアリング１１にクランク軸１の後ジャーナル部１２をラジアル軸受けさせた、エンジンにおいて、後ラジアルベアリング１１にオイルポンプ１３でオイルを圧送供給し、後ラジアルベアリング１１のオイル出口１４に油圧室１５を設け、この油圧室１５に受圧部１６を侵入させ、この受圧部１６をクランク軸１に固定し、後ラジアルベアリング１１に圧送供給されたオイルが、オイル出口１４から油圧室１５に流出して受圧部１６を押すことにより、クランク軸１に前向きのスラスト力１７が付与され、クランク軸１の前方への移動がクランクケース２の前スラスト受部で受け止められるようにした。【選択図】    図１
2006226331.tif 000002
【特許請求の範囲】
【請求項１】
クランク軸(１)の架設方向を前後方向、クランクケース(２)の開口(３)がある方を後として、クランクケース(２)の前壁(４)の前軸受部(５)にクランク軸(１)の前ジャーナル部(６)を軸受けさせ、クランクケース(２)の開口(３)と蓋体(７)との間にガスケット(８)を挟んで、開口(３)を蓋体(７)で蓋し、蓋体(７)の壁(９)に後軸受ボス(１０)を設け、この後軸受ボス(１０)に後ラジアルベアリング(１１)を内嵌させ、この後ラジアルベアリング(１１)にクランク軸(１)の後ジャーナル部(１２)をラジアル軸受けさせた、エンジンにおいて、
後ラジアルベアリング(１１)にオイルポンプ(１３)でオイルを圧送供給し、後ラジアルベアリング(１１)のオイル出口(１４)に油圧室(１５)を連通させ、この油圧室(１５)に受圧部(１６)を侵入させ、この受圧部(１６)をクランク軸(１)に固定し、後ラジアルベアリング(１１)に圧送供給されたオイルが、オイル出口(１４)から油圧室(１５)に流出して受圧部(１６)を押すことにより、クランク軸(１)に前向きのスラスト力(１７)が付与され、クランク軸(１)の前方への移動が前スラスト受部(１８)で受け止められるようにした、ことを特徴とするエンジン。
【請求項２】
請求項１に記載したエンジンにおいて、
クランク軸(１)にオイル通路(１９)を形成し、オイル通路(１９)の通路入口(２０)を後ラジアルベアリング(１１)のオイル溝(２１)に連通させ、オイル通路(１９)の通路出口(２２)をクランクピン(２３)の周面で開口し、オイルポンプ(１３)から後ラジアルベアリング(１１)に圧送供給されたオイルの一部が、クランク軸(１)のオイル通路(１９)を介してクランクピン(２３)の周面に供給されるようにした、ことを特徴とするエンジン。
【請求項３】
請求項１または請求項２に記載したエンジンにおいて、
受圧部(１６)の周囲に油圧室(１５)と連通するオイル流出隙間(２４)を形成し、このオイル流出隙間(２４)のオイル出口(２５)にクランクギヤ(２６)を臨ませ、オイル流出隙間(２４)から流出したオイルがクランクギヤ(２６)に供給されるようにした、ことを特徴とするエンジン。
【発明の詳細な説明】
【技術分野】
【０００１】
本発明は、エンジンに関し、詳しくは、ガスケットによるクランク軸と蓋体との間の隙間管理が不要になるエンジンに関するものである。
【背景技術】
【０００２】
本発明は、図２に示すように、クランク軸(１)の架設方向を前後方向、クランクケース(２)の開口(３)がある方を後として、クランクケース(２)の前壁(４)の前軸受部(５)にクランク軸(１)の前ジャーナル部(６)を軸受けさせ、クランクケース(２)の開口(３)と蓋体(７)との間にガスケット(８)を挟んで、開口(３)を蓋体(７)で蓋し、蓋体(７)の壁(９)に後軸受ボス(１０)を設け、この後軸受ボス(１０)に後ラジアルベアリング(１１)を内嵌させ、この後ラジアルベアリング(１１)にクランク軸(１)の後ジャーナル部(１２)をラジアル軸受けさせたエンジンを前提とする。
従来、上記と同様の構造を前提とするエンジンがある。 (例えば、特許文献１参照)。
この種のエンジンでは、クランクケース(２)内に開口(３)からクランク軸(１)を差し込むことができ、クランク軸(１)の組み付けが容易になるという利点がある。
【０００３】
しかし、上記従来のエンジンでは、クランク軸(１)のスラスト方向のガタを防止するため、ガスケット(８)の厚さによる管理が行われている。すなわち、クランク軸(１)の組み付け時に、クランク軸(１)にスラスト方向のガタがある場合、ガスケット(８)を薄いものに交換して、クランク軸(１)と蓋体(７)との間の隙間を小さくし、ガタを無くしている。
【０００４】
【特許文献１】実開平６−１７２４号公報(図１参照)
【発明の開示】
【発明が解決しようとする課題】
【０００５】
上記従来技術では、次の問題がある。
《問題》  ガスケットによるクランク軸と蓋体との間の隙間管理が必要になる。
クランク軸(１)の組み付け時に、クランク軸(１)にスラスト方向のガタがある場合、ガスケット(８)を薄いものに交換して、クランク軸(１)と蓋体(７)との間の隙間を小さくする等、ガスケット(８)によるクランク軸(１)と蓋体(７)との間の隙間管理が必要になる。
【０００６】
本発明は、上記問題点を解決することができるエンジン、すなわち、ガスケットによるクランク軸と蓋体との間の隙間管理が不要になるエンジンを提供することを課題とする。
【課題を解決するための手段】
【０００７】
請求項１に係る発明の発明特定事項は、次の通りである。
図２に例示するように、クランク軸(１)の架設方向を前後方向、クランクケース(２)の開口(３)がある方を後として、クランクケース(２)の前壁(４)の前軸受部(５)にクランク軸(１)の前ジャーナル部(６)を軸受けさせ、クランクケース(２)の開口(３)と蓋体(７)との間にガスケット(８)を挟んで、開口(３)を蓋体(７)で蓋し、蓋体(７)の壁(９)に後軸受ボス(１０)を設け、この後軸受ボス(１０)に後ラジアルベアリング(１１)を内嵌させ、この後ラジアルベアリング(１１)にクランク軸(１)の後ジャーナル部(１２)をラジアル軸受けさせた、エンジンにおいて、
図１に示すように、後ラジアルベアリング(１１)にオイルポンプ(１３)でオイルを圧送供給し、後ラジアルベアリング(１１)のオイル出口(１４)に油圧室(１５)を連通させ、この油圧室(１５)に受圧部(１６)を侵入させ、この受圧部(１６)をクランク軸(１)に固定し、後ラジアルベアリング(１１)に圧送供給されたオイルが、オイル出口(１４)から油圧室(１５)に流出して受圧部(１６)を押すことにより、クランク軸(１)に前向きのスラスト力(１７)が付与され、図２に例示するように、クランク軸(１)の前方への移動が前スラスト受部(１８)で受け止められるようにした、ことを特徴とするエンジン。
【発明の効果】
【０００８】
（請求項１に係る発明）
《効果》  ガスケットによるクランク軸と蓋体との間の隙間管理が不要になる。
図１に例示するように、後ラジアルベアリング(１１)に圧送供給されたオイルが、オイル出口(１４)から油圧室(１５)に流出して受圧部(１６)を押すことにより、クランク軸(１)に前向きのスラスト力(１７)が付与され、図２に例示するように、クランク軸(１)の前方への移動が前スラスト受部(１８)で受け止められるようにしたため、油圧によりクランク軸(１)のスラスト方向のガタが抑制される。このため、ガスケット(８)によるクランク軸(１)と蓋体(７)との間の隙間管理が不要になる。
【０００９】
（請求項２に係る発明）
請求項１に係る発明の効果に加え、次の効果を奏する。
《効果》  オイルポンプから後ラジアルベアリングまでのオイル圧送路をクランクピンへの潤滑油路の一部として兼用することができる。
図１に例示するように、クランク軸(１)にオイル通路(１９)を形成し、オイル通路(１９)の通路入口(２０)を後ラジアルベアリング(１１)のオイル溝(２１)に連通させ、オイル通路(１９)の通路出口(２２)をクランクピン(２３)の周面で開口(３)し、オイルポンプ(１３)から後ラジアルベアリング(１１)に圧送供給されたオイルの一部が、クランク軸(１)のオイル通路(１９)を介してクランクピン(２３)の周面に供給されるようにしたため、オイルポンプ(１３)から後ラジアルベアリング(１１)までのオイル圧送路をクランクピン(２３)への潤滑油路の一部として兼用することができる。
【００１０】
（請求項３に係る発明）
請求項１または請求項２に係る発明の効果に加え、次の効果を奏する。
《効果》  油圧室で使用したオイルをクランクギヤの潤滑にも有効利用することができる。
図１に例示するように、受圧部(１６)の周囲に油圧室(１５)からのオイル流出隙間(２４)を形成し、このオイル流出隙間(２４)のオイル出口(２５)にクランクギヤ(２６)を臨ませ、オイル流出隙間(２４)から流出したオイルがクランクギヤ(２６)に供給されるようにしたため、油圧室(１５)で使用したオイルをクランクギヤ(２４)の潤滑にも有効利用することができる。
【発明を実施するための最良の形態】
【００１１】
本発明の実施の形態を図面に基づいて説明する。図１から図３は本発明の実施形態に係るエンジンを説明する図で、この実施形態では、単気筒の傾斜型ディーゼルエンジンについて説明する。
【００１２】
本発明の実施形態の概要は、次の通りである。
図３に示すように、シリンダブロック(２７)が、一体鋳造のクランクケース(２)とシリンダ(２８)とで構成されている。クランクケース(２)内にはクランク軸(１)が架設されている。シリンダ(２８)は、クランク軸中心軸線(２９)と平行な向きに見て、クランクケース(２)から斜め上向きに突出している。シリンダ(２８)の上部にシリンダヘッド(４０)を組み付け、シリンダヘッド(４０)の上部にヘッドカバー(４１)を組み付けている。シリンダ(２９)と平行な向きに見て、シリンダ(２８)をクランクケース(２)から斜め右上に突出させた観察状態で、クランク軸(１)をクランクケース(２)内の左上、動弁カム軸(３０)をクランクケース(２)内の右上に配置し、クランク軸(１)の左下に往復動バランサ(３１)を配置している。
【００１３】
上記構成の細部は、次の通りである。
図３に示すように、往復動バランサ(３１)は、連動アーム(３２)を介してクランク軸(１)に連動連結している。往復動バランサ(３１)はシリンダ(２８)と平行な向きで斜め向きに昇降する。動弁カム軸(３０)は燃料噴射カム軸も兼ね、上記観察状態で、動弁カム軸(３０)の右側に水平な向きの燃料噴射ポンプ(３３)を配置している。上記観察状態で、クランクギヤ(２６)にその右側から動弁カムギヤ(３４)を噛み合わせ、動弁カムギヤ(３４)にその左下からガバナギヤ(３５)を噛み合わせている。ガバナギヤ(３５)の下半部と往復動バランサ(３１)の下半部とは、クランクケース(２)の内底部のオイル(３６)に浸漬している。上記観察状態で、ガバナギヤ(３５)は反時計廻り方向、動弁カムギヤ(３４)は時計廻り方向、クランクギヤ(２６)は反時計廻り方向に回転する。
【００１４】
クランク軸の軸受構造は、次の通りである。
図３に示すように、クランクケース(２)は開口(３)を備えている。図２に示すように、クランク軸(１)の架設方向を前後方向、クランクケース(２)の開口(３)がある方を後として、クランクケース(２)の前壁(４)の前軸受部(５)にクランク軸(１)の前ジャーナル部(６)を軸受けさせている。クランクケース(２)の開口(３)と蓋体(７)との間にガスケット(８)を挟んで、開口(３)を蓋体(７)で蓋している。蓋体(７)の壁(９)に後軸受ボス(１０)を設け、この後軸受ボス(１０)に後部ラジアルベアリング(１１)を内嵌させ、この後ラジアルベアリング(１１)にクランク軸(１)の後ジャーナル部(１２)をラジアル軸受けさせている。
【００１５】
上記構成の細部は、次の通りである。
図３に示すように、開口(３)は、クランクケース(２)の後壁を全面的に取り除いた構造で、開口周縁部(３８)には蓋体(７)を取り付けるためのボルト孔(３９)を設けている。図２に示すように、前軸受部(５)はボールベアリングであり、前ジャーナル部(６)をラジアル軸受けしている。後ラジアルベアリング(１１)はメタル製の滑り平軸受である。
【００１６】
クランク軸のスラスト方向のガタを止める工夫は、次の通りである。
図１に示すように、後ラジアルベアリング(１１)にオイルポンプ(１３)でオイルを圧送供給し、後ラジアルベアリング(１１)のオイル出口(１４)に油圧室(１５)を連通させ、この油圧室(１５)に受圧部(１６)を侵入させている。この受圧部(１６)をクランク軸(１)に固定し、後ラジアルベアリング(１１)に圧送供給されたオイルが、オイル出口(１４)から油圧室(１５)に流出して受圧部(１６)を押すことにより、クランク軸(１)に前向きのスラスト力(１７)が付与され、クランク軸(１)の前方への移動が前スラスト受部(１８)で受け止められるようにしている。
【００１７】
上記構成の細部は、次の通りである。
図１に示すように、後ラジアルベアリング(１１)の内面に円環状のオイル溝(２１)を形成している。オイルポンプ(１３)はクランクケース(２)の内底部のオイル(３６)を後ラジアルベアリング(１１)に供給する。後ラジアルベアリング(１１)の内面に、オイル溝(２１)から後向きに導出したオイル流出溝(３７)を形成し、この導出端が後ラジアルベアリング(１１)のオイル出口(１４)となる。油圧室(１５)は後軸受ボス(１０)内に円環状に形成してある。受圧部(１６)は円筒型で、クランク軸(１)に外嵌固定し、油圧室(１５)にその前方から侵入させている。図２に示すように、前スラスト受部(１８)は前軸受部(５)がその役割に担っている。
【００１８】
このエンジンの潤滑装置の構成は、次の通りである。
図１に示すように、クランク軸(１)にオイル通路(１９)を形成し、オイル通路(１９)の通路入口(２０)を後ラジアルベアリング(１１)のオイル溝(２１)に連通させ、オイル通路(１９)の通路出口(２２)をクランクピン(２３)の周面で開口(３)し、オイルポンプ(１３)から後ラジアルベアリング(１１)に圧送供給されたオイルの一部が、クランク軸(１)のオイル通路(１９)を介してクランクピン(２３)の周面に供給されるようにしている。また、受圧部(１６)の周囲に油圧室(１５)からのオイル流出隙間(２４)を形成し、このオイル流出隙間(２４)のオイル出口(２５)にクランクギヤ(２６)を臨ませ、オイル流出隙間(２４)から流出したオイルがクランクギヤ(２６)に供給されるようにしている。
【図面の簡単な説明】
【００１９】
【図１】本発明の実施形態に係るエンジンの要部縦断面図である。
【図２】本発明の実施形態に係るエンジンの縦断面図で、シリンダヘッドを取り外した図である。
【図３】本発明の実施形態に係るエンジンの背面図で、蓋体を取り外した図である。
【符号の説明】
【００２０】
(１) クランク軸
(２) クランクケース
(３) 開口
(４) 前壁
(５) 前軸受部
(６) 前ジャーナル部
(７) 蓋体
(８) ガスケット
(９) 壁
(１０) 後軸受ボス
(１１) 後ラジアルベアリング
(１２) 後ジャーナル部
(１３) オイルポンプ
(１４) オイル出口
(１５) 油圧室
(１６) 受圧部
(１７) スラスト力
(１８) 前スラスト受部
(１９) オイル通路
(２０) 通路入口
(２１) オイル溝
(２２) 通路出口
(２３) クランクピン
(２４) オイル流出隙間
(２５) オイル出口
(２６) クランクギヤ
【図１】
2006226331.tif 000003
【図２】
2006226331.tif 000004
【図３】
2006226331.tif 000005